(57)【要約】【課題】本発明は、簡単な構造で容易に取り付けられる部材の取り付け構造を提供することを目的としている。【解決手段】本発明に係るキャビネットにおける固定部材取り付け構造は、キャビネットを構成するパネル１に長穴形状の固定部材取り付け穴４を設け、固定部材３は、固定部材取り付け穴４に対向する形状で固定部材取り付け穴４に挿通可能であるようにフランジを形成し、フランジには固定部材取り付け穴４の直線部を一辺とした略八角形の位置決め部と、位置決め部の表面に略円柱状にねじ部を形成し、固定部材３はねじ部に第一のナットを取り付け、パネル１を固定部材３のフランジと第一のナットではさみ込み固定することを特徴とする。【選択図】図２
2008058680.tif 000002
【特許請求の範囲】
【請求項１】
光通信機器を収納するキャビネットにおける、前記機器間の配線を支持固定する固定部材の取り付け構造であって、前記キャビネットを構成するパネルに長穴形状の固定部材取り付け穴を設け、前記固定部材は、前記固定部材取り付け穴に対向する形状で前記固定部材取り付け穴に挿通可能であるようにフランジを形成し、該フランジには前記固定部材取り付け穴の直線部を一辺とした略八角形の位置決め部と、該位置決め部の表面に略円柱状にねじ部を形成し、前記固定部材は前記ねじ部に第一のナットを取り付け、前記パネルを前記固定部材のフランジと第一のナットではさみ込み固定することを特徴とする固定部材の取り付け構造。
【請求項２】
前記キャビネットにおいて、前記固定部材には、さらに配線固定具を取り付け、第二のナットにより前記配線固定具を固定し、該配線固定具は光ケーブル、テンションメンバのいずれも固定可能とすることを特徴とする請求項１に記載の固定部材の取り付け構造。
【発明の詳細な説明】
【技術分野】
【０００１】
本発明は、光通信機器を収納するキャビネットにおける、機器間の配線を支持固定する固定部材の取り付け構造に関するものである。
【背景技術】
【０００２】
光通信機器を収納するキャビネットは、従来、パネルに機器を取り付け、配線していた。配線を固定するための固定部材の取り付けは、パネルに固定穴を設けると共に、固定部材にも取り付け穴を設け、固定穴と取り付け穴にそれぞれねじを挿通し締め付け行っていた。
【０００３】
また、光通信機器は光ケーブルにより配線されるが、光ケーブルは光ファイバの束とその束を保持するためのテンションメンバで構成され、光ケーブルとテンションメンバそれぞれを固定する必要があった。そのため、光ケーブルを固定するためにはケーブルクランプを、テンションメンバを固定するためにはテンションメンバ押さえをそれぞれパネルに設けていた。
【非特許文献１】カワムララックカタログＮｏ．１０  ２００６年６月１日発行
【発明の開示】
【発明が解決しようとする課題】
【０００４】
しかしながら上記従来技術におけるキャビネットでは、図６に示すように、ケーブル等の固定部材３１をパネル３２にねじ止めで取り付けていた。固定部材３１には取り付け穴３３を、パネル３２には固定穴３４をそれぞれ設け、ねじ３５を挿通し取り付けていた。そのとき、パネル３２に設ける固定穴３４を設けてしまうと、固定部材３１の取り付け方向を変更したい場合に、固定穴３４を穿設しなおさなくてはならなかった。固定部材３１を取り付けるために図６に示すように二ヶ所固定穴３４と取り付け穴３３が設けられているときには、さらに作業に手間が掛かっていた。また、設置しなおしの場合、ねじ３５を取り外すと紛失の虞があった。
【０００５】
また、従来は、ケーブルクランプ３１ａとテンションメンバ押さえ３１ｂをそれぞれの用途に合わせて製作していたので製造費用がかかっていた。また、部品の在庫管理の手間が煩雑になっていた。また、パネル３２上のレイアウトによっては、ケーブルクランプ３１ａとテンションメンバ押さえ３１ｂの取り付け位置が変わるが、その変更に合わせて取り付けのための固定穴３４を開口しなおしたり、大きな手間が掛かっていた。
【課題を解決するための手段】
【０００６】
そこで本発明は簡単な構造で容易に取り付けられる部材の取り付け構造を提供することを目的とし、その構造は、キャビネットを構成するパネルに長穴形状の固定部材取り付け穴を設け、固定部材は、固定部材取り付け穴に対向する形状で固定部材取り付け穴に挿通可能であるようにフランジを形成し、フランジには固定部材取り付け穴の直線部を一辺とした略八角形の位置決め部と、位置決め部の表面に略円柱状にねじ部を形成し、固定部材はねじ部に第一のナットを取り付け、パネルを固定部材のフランジと第一のナットではさみ込み固定することを特徴とする。
【０００７】
また、固定部材には、さらに配線固定具を取り付け、第二のナットにより配線固定具を固定し、配線固定具は光ケーブル、テンションメンバのいずれも固定可能とすることを特徴とする。
【発明の効果】
【０００８】
本発明に係る部材の取り付け構造は、キャビネットを構成するパネルに長穴形状の固定部材取り付け穴を設け、固定部材は、固定部材取り付け穴に対向する形状で固定部材取り付け穴に挿通可能であるようにフランジを形成し、フランジには固定部材取り付け穴の直線部を一辺とした略八角形の位置決め部と、位置決め部の表面に略円柱状にねじ部を形成し、固定部材はねじ部に第一のナットを取り付け、パネルを固定部材のフランジと第一のナットではさみ込み固定するため、部材を取り付けるために設ける穴は部材取り付け穴一つでよく、しかも部材の取り付け向きも変更可能である。また、ねじ締めのためのドライバー等工具が不要で、部材の取り付けが可能である。また、部材の取り付け方向の変更ができるので、部品の共用化を図ることができる。また、部材の取り付け向きの変更時にパネルから部品が離れないので部品の紛失の虞が無くなる。
【０００９】
また、固定部材には、さらに配線固定具を取り付け、第二のナットにより配線固定具を固定し、配線固定具は光ケーブル、テンションメンバのいずれも固定可能とするため、部材を取り付けるために設ける穴は部材取り付け穴一つでよく、しかも部材の取り付け向きも変更可能である。また、ねじ締めのためのドライバー等工具が不要で、部材の取り付けが可能である。本発明に係る固定部材という部品だけで、ケーブルクランプにもテンションメンバ押さえにもなるので、入出線の方向の関わらず用いることができる。コストが抑えられ、省スペースで配置することができる。
【発明を実施するための最良の形態】
【００１０】
部材の取り付け方向の変更を容易に行えるようにするという目的を、取り付け穴を一つ開けるだけで実現し、ケーブルクランプとテンションメンバ押さえの両方を共用できる。
【実施例１】
【００１１】
本発明に係る部材の取り付け構造の実施例を図１〜図４の添付図面に基いて説明する。
【００１２】
機器を配置するパネル１と、パネル１の前面を施蓋する箱状のカバー２とでキャビネットを構成する。本発明は、光通信機器を載置したパネル１上で、光通信機器間を配線するケーブル等を支持固定するための固定部材３の取り付け構造に関する。
【００１３】
パネル１には、長穴形状の固定部材取り付け穴４を設ける。
【００１４】
固定部材３にはパネル１に設けた固定部材取り付け穴４に対向する長穴形状で、固定部材取り付け穴４に挿通可能である程度の大きさのフランジ５を形成する。フランジ５には、フランジ５の直線部分を一辺とする略八角形の位置決め部６を形成し、さらにその表面に円柱状のねじ部７を形成する。
【００１５】
固定部材取り付け穴４に固定部材３のフランジ５を差し込み、固定部材３に固定するケーブル等の方向を考慮し、固定部材３の方向を任意に回転させ、ねじ部７に第一のナット８を嵌め込み締め付け固定する。固定部材３のフランジ５と第一のナット８でパネル１の端部を挟んで、固定部材３をパネル１に取り付ける。
【００１６】
一旦固定部材３を取り付けた後、キャビネットの内部のレイアウト変更や固定するケーブルの入出線方向の変更により固定部材３の取り付け方向を変更したい場合には、第一のナット８を緩め、固定部材３のフランジ５をパネル１の裏面に入れた状態のままで回転させ、また第一のナット８を締め付け直し固定する。
【００１７】
同じ固定部材取り付け穴４で容易に固定部材３の取り付け方向を変更できることが特徴で、従来のように、固定のためのねじ穴を余分に設けたり、変更になったときに追加工が必要となることがない。また工具も不要で手で取り付けが可能である。ねじ等の小さい部品の紛失の虞も無く大きな効果が得られる。
【実施例２】
【００１８】
本発明に係るキャビネットの固定部材取り付け構造を図１〜図６の添付図面に基いて説明する。
【００１９】
光通信機器は光ケーブル９により配線されるが、光ケーブル９は光ファイバ（図示せず）の束と、光ファイバ９を保持するためのテンションメンバ１０とで構成される。光ケーブル９を確実に固定するために、光ケーブル９全体とテンションメンバ１０とをそれぞれパネル１に固定する必要がある。
【００２０】
実施例１に示した固定部材３のねじ部７に配線固定具１１を挿通し、固定部材３の配線固定具１１の前面側には第二のナット１２を挿通し締め付け、固定部材３に配線固定具１１を取り付ける。
【００２１】
配線固定具１１には同一直線状に光ケーブル９が挿通可能である光ケーブル固定穴１３を、同様に同一直線状にテンションメンバ１０が挿通可能であるテンションメンバ固定穴１４を設ける。キャビネットに入線されてきた側の固定部材３には光ケーブル９を固定し、その先の固定部材にはテンションメンバ１０を固定する。入線側の固定部材３に取り付けられた配線固定具１１の光ケーブル固定穴１３に光ケーブルを、もう一方の配線固定具１１のテンションメンバ固定穴１４にテンションメンバ１０をそれぞれ挿通し、光ケーブル９がまっすぐになるように配線固定具１１の取り付け方向を整えて、第二のナット１２で締め付け固定する。
【００２２】
一旦固定部材３を取り付けた後、キャビネットの内部のレイアウト変更や固定するケーブルの入出線方向の変更により光ケーブル９とテンションメンバ１０との位置が逆になる場合がある。その場合、固定部材３の取り付け方向を変更が容易に可能であるので、ナット８を緩め、固定部材３のフランジ５をパネル１の裏面に入れた状態のままで回転させ、配線固定具１１に設けられたケーブル固定穴１３とテンションメンバ固定穴１４との位置を定め、またナット８を締め付け直し固定する。
【産業上の利用可能性】
【００２３】
部材は容易に取り付け方向の変更が可能であり、部品の共用化を図ることができ、同じ部品が他の種々の目的にも適用できる。
【図面の簡単な説明】
【００２４】
【図１】本発明に係るキャビネットを示す説明図である。（実施例１、実施例２）
【図２】本発明に係るキャビネットの固定部材の取り付け構造を示す説明図である。（実施例１、実施例２）
【図３】図２における固定部材をパネルに取り付けた状態を示す説明図である。（実施例１、実施例２）
【図４】図２における固定部材の拡大図である。（実施例１、実施例２）
【図５】図２における固定部材に光ケーブルとテンションメンバとを固定させた状態を示す説明図である。（実施例１、実施例２）
【図６】従来のキャビネットにおける固定部材の取り付け構造を示す説明図である。
【符号の説明】
【００２５】
１    パネル
２    カバー
３    固定部材
４    固定部材取り付け穴
５    フランジ
６    位置決め部
７    ねじ部
８    第一のナット
９    光ケーブル
１０  テンションメンバ
１１  配線固定具
１２  第二のナット
１３  光ケーブル固定穴
１４  テンションメンバ固定穴
【図１】
2008058680.tif 000003
【図２】
2008058680.tif 000004
【図３】
2008058680.tif 000005
【図４】
2008058680.tif 000006
【図５】
2008058680.tif 000007
【図６】
2008058680.tif 000008